(57)【要約】【課題】表面に木目模様または柾目模様が現出する木特有の美観と風合いを有し、かつ調湿効果を有するとともに、ウッドカーペットを組み立てた際、電気コードを内部配線可能なタイル状集成床材およびこれを用いたウッドカーペットを提供する。【解決手段】複数の細長い木材を接着して設けた集成材からなる矩形状のタイル状基板の裏面に、タイル状基板と同一形状でかつタイル状基板よりサイズの小さい透水性ゴムマットを、透水性ゴムマットの外周に、コードを挿通するための均一幅の配線路を設けて固着することでタイル状集成床材を作製した。また、複数のタイル状集成床材を、タイル状基板を構成する細長い木材の長さ方向が、互いに直交する市松模様となるように配列してウッドカーペットを組み立てるようにした。【選択図】図１
2017057569.tif 000002
【特許請求の範囲】
【請求項１】
複数の柾目の角材を接着した集成材からなる矩形状の基板と、この基板の裏面に固着され、基板と相似形状で、その縦横のサイズが基板のそれより小さい透水性のゴムマットとを備え、この基板の裏面の外周部に段差を設け、この段差により基板の裏面にコード類が挿入可能な配線路を構成した集成床材。
【請求項２】
複数の柾目の角材を接着した集成材からなる矩形状の基板の裏面に、該基板と相似形状で、その縦横のサイズが基板それより小さい透水性ゴムマットを固着し、該基板の裏面の外周部に、コード類を挿通するための配線路を形成した集成床材を有し、
複数の該集成床材を、それぞれの前記基板を構成する前記角材の長さ方向が、互いに直交する市松模様となるように配列して組み立てたウッドカーペット。
【請求項３】
市松模様に配列された前記複数の集成床材を、外周から囲む床材集結用枠体を有し、
該床材集結用枠体には、その一部にテーブルタップのコンセントが取り付けられ、かつ該コンセントの取り付け部分とは異なる部分に、このコンセントに電気的に接続されたタップ用コードの挿通孔が形成された請求項２に記載のウッドカーペット。
【発明の詳細な説明】
【技術分野】
【０００１】
この発明は建物の床面に敷設される例えばタイル形状の集成床材およびこれを用いたウッドカーペットに関する。
【背景技術】
【０００２】
例えば、家具を陳列するショールームでは、趣の異なる空間を演出するために、フローリングの上にタイル状床材を配列してカーペットを敷設し、このカーペットの上に、例えばリビングルームをイメージして、テーブルやソファーなどを陳列することが行われている。
従来のタイル状床材として、例えば、特許文献１の「床材」が知られている。この床材は、タイル形状の基板の裏面に、このタイル状基板と同一形状、同一面積のクッション材を貼着して一体化したものである。
このように、タイル状の基板の裏面にクッション材を貼着したことで、フローリング上で床材が滑りにくくなり、また床材の吸音性および断熱性も高まる。
【先行技術文献】
【特許文献】
【０００３】
【特許文献１】特開２００８−１９０１４５号公報
【発明の開示】
【発明が解決しようとする課題】
【０００４】
しかしながら、この特許文献１では、例えばリビングルーム用の大型テレビやオーディオなどの電気機器の近くで複数枚の床材をつなぎ合わせてカーペットを敷設した場合には、電気機器から延出された電気コードをカーペットの上に這わせて、これをコンセントに差し込む必要があった。そのため、ショールームに造り込んだリビングルームの景観を損ねたり、カーペットの上を人が歩いた際に、電気コードに足が引っかかって躓くおそれがあった。
また、この従来の床材は、タイル状の基板として、硬質のプラスチックタイルが採用されていた。その結果、このリビングルームのフローリングに敷設されたカーペットが、暖かみのない無機質な印象のものとなっていた。
さらに、従来の床材にあっては、タイル状の基板として硬質のプラスチックタイルが採用され、かつクッション材として通気性がない軟質プラスチック板が採用されていた。そのため、床材には調湿効果がなく、フローリングと床材との間に湿気が溜まり、カビが発生し易かった。
【０００５】
そこで、発明者は鋭意研究の結果、木質建材の一種である、細長い複数の木材（ラミナ）を接着剤で貼り合わせて再構成した集成材に着目し、これを床材に応用するに至った。集成床材は、表面に木目模様または柾目模様が存在し、木特有の美観と風合いがあるとともに、無垢材に比べて強度のバラつきが小さく、床材としての設計強度を大きくとることができる。
そこで、この集成材からタイル形状の基板を作製するとともに、このタイル状の基板の裏面に、タイル状の基板と相似形状でかつタイル状の基板より縦横サイズが小さい透水性ゴムマットを、このゴムマットの外周に、通信ケーブルや電気コードなどを挿通するための均一幅の配線路を設けてタイル状の集成床材を得るように固着すれば、例えば、複数のタイル状の集成床材をフローリングの上に配列してウッドカーペットを組み立てた際に、隣り合うタイル状の基板の突き合わせ側の端部間の直下に電気コードなどの通路が形成される。その結果、上述した課題はすべて解消されることを知見し、この発明を完成させた。
【０００６】
すなわち、この発明は、表面に木目模様または柾目模様が現出する木特有の美観と風合いを有し、かつ調湿効果を有するとともに、ウッドカーペットを組み立てた際、電気コードなどを内部配線することができる集成床材およびこれを用いたウッドカーペットを提供することを目的としている。
【課題を解決するための手段】
【０００７】
請求項１に記載の発明は、複数の柾目の角材を接着した集成材からなる矩形状の基板と、この基板の裏面に固着され、基板と相似形状で、その縦横のサイズが基板のそれより小さい透水性のゴムマットとを備え、この基板の裏面の外周部に段差を設け、この段差により基板の裏面にコード類が挿入可能な配線路を構成した集成床材である。
【０００８】
請求項１に記載の集成床材によれば、矩形の基板の裏面に、これと相似形状でかつこれより小型の透水性ゴムマットを固着し、この透水性ゴムマットの外周に、電気機器の電気コードなどを挿通するための配線路を設けた構成としている。
また、この基板として集成材を採用したため、タイル状の基板の表面に木目模様または柾目模様が表れ、タイル状の集成床材に木特有の美観と風合いを付与することができる。
【０００９】
さらに、集成床材の緩衝材、滑り止め材、防音材として透水性ゴムマットを採用したため、例えばフローリングと透水性ゴムマットとの間に溜まった湿気が、透水性ゴムマットを通って電気コードの配線路から大気開放されることで、調湿効果が得られる。
さらに、複数枚の集成床材を突き合わせ整列させてウッドカーペットを構成したとき、上述した突き合わせによって通路幅が２倍となった配線路に、電気コードを内部配線することができる。これにより、カーペット上に這わせた電気コードによって床材設置場所の景観を損ねることがなくなり、ウッドカーペットの上を人が歩いた際、電気コードに足が引っかかって躓くなどのおそれもない。
【００１０】
集成材は、各細長い木材（ラミナ）の表面に木目模様または柾目模様が存在し、木特有の美観と風合いがあるとともに、無垢材に比べて強度のバラつきが小さく、床材としての設計強度を大きくとることができる。
細長い木材の素材としては、例えば床材に適した杉、松、桧などを採用することができる。細長い木材の乾燥には、燻製処理を採用してもよい。
細長い木材の厚さは、作製された集成材が、床材の本体となる基板として利用可能な厚さであれば任意である。例えば１０〜５０ｍｍである。
接着する細長い木材の幅（重ね合わせて接着する方向の長さ）は限定されない。例えば５〜１００ｍｍである。１枚の基板を構成する複数の細長い木材の各幅は、均一でも、一部または全部が異なってもよい。
細長い木材の長さおよびその接着枚数は、タイル状の基板のサイズに応じて適宜変更される。
各細長い木材を一体化させる接着剤としては、例えば、レゾルシノール系樹脂、水性高分子イソシアネート系樹脂などを採用することができる。
【００１１】
基板の形状としては、正方形が一般的であるが、長方形またはひし形でもよい。
基板の長さや幅（正方形の場合には一辺の長さ）は任意であるものの、作業者が基板を持ち運べる程度が好ましい。
透水性ゴムマットとしては、例えば、リサイクルゴムチップを、そのチップ形状を残してマット状に成型した多孔質のリサイクルラバー（タシロ社製のペイブロックなど）を採用することができる。その他、多孔質の天然ゴム板、多孔質の各種合成ゴム板でもよい。
透水性ゴムマットの形状は、タイル状の基板の形状に応じて適宜変更される。
透水性ゴムマットの厚さは、電気コードの配線路を形成させるため、少なくとも電気コードの厚さより長ければ任意である。例えば５〜４０ｍｍである。
透水性ゴムマットを基板に固着する方法としては、例えば、ステープルによる場合、タイル状の基板および透水性ゴムマットに対する接着力が高い各種の接着剤を使用する場合がある。その他、両面テープでもよい。また、透水性ゴムマットの被接着面側、または、基板を構成する細長い基材の貼り合わせ用の接着剤の溶融を伴う、各種の融着を採用することができる。
【００１２】
「矩形状の基板の裏面に、透水性ゴムマットを、この透水性ゴムマットの外周に、電気コードを挿通するための配線路を設けて固着する」とは、平面視して、基板の中心点と透水性ゴムマットの中心点とを一致させ、かつ基板の対角線と透水性ゴムマットの対応する対角線とを一致させた状態で、基板の裏面に、透水性ゴムマットを固着することである。基板裏面の外周部には均一幅で段差が形成されることとなる。または、透水性ゴムマットの被貼着面の四辺が、タイル状基板の裏面の四辺から均一幅で離間するように、矩形状のタイル状基板の裏面に透水性ゴムマットを固着することをいう。
こうすれば、透水性ゴムマットが、基板と相似形で、かつ基板より小型の矩形板であるため、透水性ゴムマットの４つの側面の周りには、全長にわたって幅が同一で、かつ平面視して矩形枠状の配線路が形成される。
コードとしては、例えば、テレビやオーディオなど、建物にて配備使用される各種の電気機器に使用される電気コードやＬＡＮケーブルやＵＳＢケーブル等の通信ケーブルを採用することができる。
【００１３】
配線路は、隣接する集成床材を突き合わせた際に互いの配線路が連通されるため、見掛け上、その通路幅は２倍となる。
集成床材は、縦横の何れか一方向またはこれらの両方向に、２枚以上を突き合わせながら連続することで、ウッドカーペットとすることができる。
ウッドカーペットの形状は任意である。一般的には矩形状であるが、Ｌ字形（入り隅形状）やＴ字形（出隅形状）でもよい。
【００１４】
請求項２に記載の発明は、複数の柾目の角材を接着した集成材からなる矩形状の基板の裏面に、該基板と相似形状で、その縦横のサイズが基板それより小さい透水性ゴムマットを固着し、該基板の裏面の外周部に、コード類を挿通するための配線路を形成した集成床材を有し、複数の該集成床材を、それぞれの前記基板を構成する前記角材の長さ方向が、互いに直交する市松模様となるように配列して組み立てたウッドカーペットである。
【００１５】
請求項２に記載のウッドカーペットによれば、各基板の端面を突き合わせるように複数の集成床材を配列してウッドカーペットを設けたため、各基板の外周部の直下に、突き合わせにより通路幅が２倍となった配線路が存在し、ここにコードを内部配線することができる。
また、各集成床材の基板は、細長い木材の長さ方向の方が、その幅方向に比べて湿度による伸縮率が大きくなる集成材から構成されている。しかしながら、このウッドカーペットにあっては、隣り合うタイル状の集成床材を、細長い木材の長さ方向が互いに直交する市松模様が形成されるように、各タイル状の集成床材の向きを調整して配列している。そのため、ウッドカーペットを全体視すれば、このようにタイル状の基板に集成材が採用されたものであっても、湿気による床材の縦横の伸縮率の違いは相殺される。その結果、この伸縮率の違いを原因としたウッドカーペットの歪みや、タイル状の集成床材間のすきまの発生を抑えることができる。
【００１６】
ここでいう市松模様は、隣り合うタイル状の集成床材において、細長い木材の長さ方向が互いに直交するように、各タイル状の集成床材を、順次、タイル状の集成床材の中心軸を中心として９０°だけ回動させて配列することで得られる。
ウッドカーペットは、市松模様に配列された複数の集成床材を、床材集結用枠体によって外周から囲むことで、これらを１枚の敷物として集結させてもよい。この場合、床材集結用枠体の所定位置に、ウッドカーペットに内部配線される電気コードの入り側の挿通孔と、出側の挿通孔とを形成する必要がある。
ウッドカーペットの使用場所としては、例えば、賃貸オフィス、病院、一般住宅、商業施設などを採用することができる。
【００１７】
請求項３に記載の発明は、市松模様に配列された前記複数の集成床材を、外周から囲む床材集結用枠体を有し、該床材集結用枠体には、その一部にテーブルタップのコンセントが取り付けられ、かつ該コンセントの取り付け部分とは異なる部分に、このコンセントに電気的に接続されたタップ用コードの挿通孔が形成された請求項２に記載のウッドカーペットである。
【００１８】
請求項３に記載のウッドカーペットによれば、市松模様に配列された各集成床材を、その外周向から床材集結用枠体により囲むことで、一枚物のカーペットとして集結することができる。
また、床材集結用枠体の一部には、テーブルタップのコンセントが取り付けられている。そのため、周辺電気機器の電気コードを、集成床材の配線路に内部配線することなく、このコンセントを利用して、周辺電気機器の電源を確保することができる。
【００１９】
床材集結用枠体は、配列された複数の集成床材の外観形状に合わせて、複数本の側枠板を環状に連結したものである。
床材集結用枠体の素材としては、例えば、細長い木材と同一素材を採用することができる。その他、各種の木材、各種のプラスチック、各種の金属、各種のセラミックスなどでもよい。
床材集結用枠体の形状は、ウッドカーペットの形状に応じて適宜変更される。例えば、矩形枠状、Ｌ字枠状、Ｔ字枠状でもよい。
ここでいうテーブルタップとは、建物の壁などに設置されたコンセントから離れた場所に存在する周辺電気機器に電源を供給するための電気器具である。テーブルタップの一般的な構成は、コンセントにタップ用コードの基端部が電気的に接続され、タップ用コードの先端部にプラグが電気的に接続されている。
【００２０】
テーブルタップの使用数は１つでも、２つ以上でもよい。
コンセントは、プラグ用接続端子が１つのものでも、２つ以上のものでもよい。
床材集結用枠体におけるコンセントおよびタップ用コードの挿通孔の取り付け位置は任意である。例えば、床材集結用枠体のコーナー部またはその近くでもよい。または、床材集結用枠体の一部を構成する複数の側枠板のうち、何れかの側枠板の任意位置（例えば、その側枠板の長さ方向の中間部）でもよい。
コンセントは、床材集結用枠体にプラグの差し込み口を露出して埋め込むことができる。その他、床材集結用枠体に突出状態で取り付けてもよい。
【発明の効果】
【００２１】
請求項１に記載の集成床材によれば、集成材からなる基板の裏面に、基板と相似形状で小型の透水性ゴムマットを、この透水性ゴムマットの外周に、電気コードを挿通するための配線路を設けて固着し、集成床材を作製している。
このように、集成材からなる基板を採用することで、表面に木目模様または柾目模様が表れ、集成床材に木特有の美観と風合いを高め、癒し効果を付与することができる。
また、集成床材の緩衝材、滑り止め材、防音材として、透水性ゴムマットを採用したため、例えばフローリングと透水性ゴムマットとの間に溜まった湿気は、透水性ゴムマットを通って電気コードの配線路から大気開放される。そのため、調湿効果を有する集成床材が得られる。
さらに、複数枚の集成床材を突き合わせてウッドカーペットを設けたとき、突き合わせにより通路幅が大きくなった配線路に、電気コードを内部配線することができる。その結果、電気コードによって床材設置場所の景観を損ねることがなく、ウッドカーペットの上を人が歩いた際に、電気コードに足が引っかかって躓くなどのおそれがない。
【００２２】
請求項２に記載のウッドカーペットによれば、各基板の端面を突き合わせるように複数の集成床材を配列し、ウッドカーペットを組み立てるように構成している。そのため、各基板の外周部の直下に配線路が存在し、この配線路に周辺電気機器の電気コードを内部配線することができる。
また、各集成床材の基板は、細長い木材の長さ方向の方がその幅方向に比べて、湿度による伸縮率が大きい集成材からなるものの、このウッドカーペットにあっては、隣り合う集成床材において、細長い木材の長さ方向が互いに直交する市松模様となるように、各集成床材を配列している。そのため、ウッドカーペットを全体視すれば、このように基板として集成材を採用しても、湿気による床材の縦横の伸縮率の違いが相殺される。その結果、この伸縮率の違いを原因としたウッドカーペットの歪みや、集成床材間のすきまの発生を抑えることができる。
【００２３】
請求項３に記載のウッドカーペットによれば、市松模様に配列された各タイル状集成床材を、その外周から床材集結用枠体により囲むことで、これらを一枚物の敷物として集結させることができる。
また、床材集結用枠体の一部には、テーブルタップのコンセントが取り付けられている。そのため、周辺電気機器の電気コードを配線路に内部配線することなく、そのコンセントを利用して電源を確保することができる。
【図面の簡単な説明】
【００２４】
【図１】この発明の実施例１に係る集成床材の上斜め方向からの斜視図である。
【図２】この発明の実施例１に係るウッドカーペットの使用状態を示す平面図である。
【図３】この発明の実施例１に係るウッドカーペットの一部を構成する集成床材の突き合わせ部に配置された電気コード用の配線路を示す要部縦断面図である。
【図４】この発明の実施例１に係るウッドカーペットの一部を構成する床材集結用枠体に形成された電気コードの挿通孔を示す要部拡大斜視図である。
【図５】この発明の実施例２に係るウッドカーペットにおける床材集結用枠体へのテーブルタップの取り付け状態を示す要部拡大斜視図である。
【図６】この発明の実施例２に係るウッドカーペットの使用状態を示す平面図である。
【発明を実施するための形態】
【００２５】
以下、この発明の実施例を具体的に説明する。ここでは、家具を陳列するショールームのフローリングの上に敷設されるタイル状の集成床材およびこれを用いたウッドカーペットを例とする。
【実施例】
【００２６】
図１において、１０はこの発明の実施例１に係るタイル状の集成床材で、このタイル状の集成床材１０は、複数のラミナ１１（細長い杉柾目材）を接着して設けた集成材からなる正方形（矩形状）のタイル状の基板１２の裏面に、タイル状の基板１２と相似形状でかつ基板１２より縦横サイズの小さい透水性ゴムマット１３を、この透水性ゴムマット１３の外周に、ショールームに設置されたテレビの電気コード１４を挿通するための均一幅の配線路１５を設けて貼着したものである。
【００２７】
以下、図１〜図４を参照して、これらの構成体を具体的に説明する。
図１および図２に示すように、タイル状の基板１２は、縦横各辺が３２０ｍｍ、厚さが３０ｍｍの集成材である。具体的には、長さ３２０ｍｍ、３０ｍｍ角の燻煙処理された日田杉柾目材からなる１０本のラミナ１１を、その長さ方向（木目）を揃えて、かつ各突き合わせ面に水性高分子イソシアネート系の接着剤を塗布して圧着したものである。
また、透水性ゴムマット１３は、各辺が３００ｍｍ、厚さが９ｍｍのタシロ社製のペイブロックからなる。ペイブロックは、加熱金型を用いて、リサイクルゴムチップを、チップ形状を残してマット状に成型した多孔質のリサイクルラバーである。
【００２８】
透水性ゴムマット１３のタイル状の基板１２への固着時には、平面視して、タイル状基板１２の中心点と透水性ゴムマット１３の中心点とを一致させ、かつタイル状基板１２の対角線と透水性ゴムマット１３の対応する対角線とを一致させた状態で、図示しないが複数個のステープル（又釘）を用いて、タイル状基板１２の裏面に透水性ゴムマット１３を止着する。ステープで固着することで、ゴムマットの一部をカットして任意の形状の溝を基板裏面に形成することができる。
このとき、透水性ゴムマット１３が、タイル状基板１２と相似形で、かつタイル状基板１２より１辺が２ｃｍだけ小型の正方形の板であるため、透水性ゴムマット１３の４つの側面の周りには、段差が形成され、全長にわたって幅が１ｃｍ、高さが９ｍｍの、平面視して矩形枠状の配線路１５が現出される（図３）。配線路１５は、外周側の形成面と下側の形成面とが開放されているものの、これらの開放面は、ショールームのフローリング１６の上面で、隣接するタイル状集成床材１０同士をつなぎ合わせてウッドカーペット２０を組み立てた際、閉じられる。
【００２９】
次に、図１〜図４を参照して、この発明の実施例１に係るタイル状集成床材１０を使用し、家具を陳列するショールームのフローリング１６の上面で、ウッドカーペット２０を組み立てる方法を説明する。
図１および図２に示すように、各タイル状基板１２の対峙する端面同士を突き合わせながら、複数のタイル状集成床材１０を順次縦方向および横方向に配列し、全体として正方形の大判敷物とする。
このとき、全てのタイル状集成床材１０は、隣り合うもの同士、ラミナ１１の長さ方向が互いに直交する市松模様となるように配列される。そのため、集成材からなる各タイル状基板１２は、ラミナ１１の長さ方向の方がその幅方向に比べて、湿度による伸縮率が大きくなるものの、実施例１のウッドカーペット２０にあっては、それを全体視したとき、湿気によるタイル状基板１２の縦横の伸縮率の違いが相殺される。その結果、この伸縮率の違いを原因としたウッドカーペット２０の歪みや、隣接するタイル状集成床材１０の間にすきまが発生するのを抑えることができる。また、各タイル状基板１２の突き合わせ側の端部の直下では、そこに存在する配線路１５同士が連通されている（図３）。そのため、見掛け上、配線路１５の幅は２倍となる。
【００３０】
次に、市松模様に配列された各タイル状集成床材１０を、その外周から矩形枠状の床材集結用枠体１７により囲み、これらを集結（連結）させてウッドカーペット２０を作製する（図４）。具体的には、床材集結用枠体１７を構成する幅３０ｃｍ、厚さ４ｃｍの日田杉の角材からなる長尺な側枠板１８を４本用意し、各側枠板１８を、前記大判敷物の各辺側に配置された各タイル状基板１２にビス止めする。このとき、２本の側枠板１８の長さ方向の中間部の下部には、対峙した配線路１５と連通する、テレビの電気コード１４の挿通孔１９がそれぞれ形成されている。そこで、各挿通孔１９およびこれらに連通する各配線路１５を利用し、電気コード１４をウッドカーペット２０に所定の引き回しで内部配線する。これにより、電気コード１４によって、ショールームに造り込まれたリビングの景観を損ねることがなく、ウッドカーペット２０の上を人が歩いた際に、電気コード１４に足が引っかかって躓くなどのおそれもない。
【００３１】
このように、集成材からなるタイル状基板１２を採用することで、タイル状集成床材１０の表面に木目模様または柾目模様が表れ、タイル状集成床材１０、ひいてはウッドカーペット２０に木特有の美観と風合いとを付与することができる。
また、タイル状集成床材１０の緩衝材、滑り止め材、防音材として、透水性ゴムマット１３を採用したため、フローリング１６と透水性ゴムマット１３との間に溜まった湿気は、透水性ゴムマット１３を通って電気コード１４の配線路１５から大気開放される。そのため、調湿効果を有するタイル状集成床材１０が得られる。
【００３２】
次に、図５および図６を参照して、この発明の実施例２に係るウッドカーペットを説明する。
図５および図６に示す実施例２のウッドカーペット２０Ａの特徴は、床材集結用枠体１７Ａの一部にテーブルタップ２１のコンセント２２が取り付けられ、かつ床材集結用枠体１７Ａのコンセント２２の取り付け部分とは異なる部分に、コンセント２２に電気的に接続されたタップ用コード２３の挿通孔１９Ａを形成した点である。このコンセント２２を利用し、例えばテレビやドライヤなどの電源を得ることができる。
【００３３】
テーブルタップ２１は、その表面にプラグの差し込み口２４が３つ有するもので、１本の側枠板１８Ａの一端部付近の外側面（上面でもよい）に、これらの差し込み口２４を露出して埋め込まれている。タップ用コード２３は、ウッドカーペット２０の配線路１５に所定の引き回しで内部配線され、かつ挿通孔１９Ａを通してウッドカーペット２０の外方に、そのコード先部が延びている。タップ用コード２３の先端部にはタップ用プラグ２５が電気的に接続され、このタップ用プラグ２５が、ショールームの壁面に設けられた電源用コンセント２６に差し込まれている。
このように、床材集結用枠体１７Ａの一部に、テーブルタップ２１のコンセント２２を取り付けたため、家電品の電気コード１４を、ウッドカーペット２０Ａの配線路１５にいちいち内部配線することなく、床材集結用枠体１７Ａに一体化されたコンセント２２を利用して、１つまたは複数の家電品の電源を確保することができる。
なお、タイル状基板１２の表面に疵が付いたり、頑固な汚れが付着した場合には、タイル状基板１２の表面を研磨または研削することで、これらの瑕疵を除去することができる。
【産業上の利用可能性】
【００３４】
この発明は、建物の床面に敷設されるタイル状集成床材およびこれを用いたウッドカーペット用の技術として有用である。
【符号の説明】
【００３５】
１０  タイル状の集成床材、
１１  ラミナ（細長い木材）、
１２  タイル状の基板、
１３  透水性ゴムマット、
１４  電気コード、
１５  配線路、
１７，１７Ａ  床材集結用枠体、
１９Ａ  挿通孔、
２０，２０Ａ  ウッドカーペット、
２１  テーブルタップ、
２２  コンセント、
２３  タップ用コード。
【図１】
2017057569.tif 000003
【図２】
2017057569.tif 000004
【図３】
2017057569.tif 000005
【図４】
2017057569.tif 000006
【図５】
2017057569.tif 000007
【図６】
2017057569.tif 000008